(57)【要約】【課題】  Ｏ脚が進んでも膝関節に負荷がかからない後足部傾斜領域付インソールを得る。【解決手段】  足の裏面に接触する面に、足の骨格の３アーチ８８である横アーチ８１、内側縦アーチ８３、外側縦アーチ８６を整える隆起したインソール土踏まず対応領域２５０を施し、後足部対応領域２３０から中足部対応領域２２０に渡ってコーナカップ部２４０を形成して、  裏側において、中足部対応領域２２０の後端付近の足の内側の位置２２１から後足部対応領域２３０の後端の足の内側よりの位置２３１までを結ぶ直線Ｌａに対向する前記後足部対応領域２３０の足の外側までの範囲に傾斜領域２９０を施す。【選択図】図１
2015208398.tif 000002
【特許請求の範囲】
【請求項１】
足の裏面に接触する面に、足の骨格の３アーチ（８８）である横アーチ（８１）、内側縦アーチ（８３）、外側縦アーチ（８６）を整える隆起したインソール土踏まず対応領域（２５０）が施され、後足部対応領域（２３０）から中足部対応領域（２２０）に渡ってコーナカップ部（２４０）が形成された後足部傾斜領域付インソールであって、
裏側において、前記中足部対応領域（２２０）の後端付近の足の内側の位置（２２１）から前記後足部対応領域（２３０）の後端の足の内側よりの位置（２３１）までを結ぶ直線（Ｌａ）に対向する前記後足部対応領域（２３０）の足の外側までの範囲に傾斜領域（２９０）が施され、
前記傾斜領域（２９０）は、
前記直線（Ｌａ）から足の外側に向かって次第に厚みが増加され、足の外側となる面の高さは、この足の外側の面に対向する足の内側の面に対して３割程度高くされていることを特徴とする後足部傾斜領域付インソール。
【請求項２】
足の裏面の平面形状に対応する表生地（２８０）と、前記表生地（２８０）の下層となるインソール本体（２７０）と、下側インソール（２６０）とを圧着成型した後足部傾斜領域付インソールであって、
前記下側インソール（２６０）の裏側が、
前記中足部対応領域（２２０）の後端付近の足の内側の位置（２２１）から前記後足部対応領域（２３０）の後端の足の内側よりの位置（２３１）までを結ぶ直線（Ｌａ）に対向する前記後足部対応領域（２３０）の足の外側までの範囲に傾斜領域（２９０）が施され、
前記傾斜領域（２９０）は、
前記直線Ｌａから足の外側に向かって次第に厚みが増加され、足の外側となる面の高さは、この足の外側の面に対向する足の内側の面に対して３割程度高くされていることを特徴とする後足部傾斜領域付インソール。
【請求項３】
前記下側インソール（２６０）は、
第１中足骨（５１）の中央付近に対抗する足の内側となる位置（２２１）から第１中足骨骨低（５１ｂ）よりを通り、第２中足骨（５２）及び第３中足骨（５３）の中央付近を通って、第４中足骨骨底（５４ｂ）よりを通って、第５中足骨（５５）を除いて、立方骨（７１）の隅を通って、第５中足骨骨底（５５ｂ）に対向する足の外側の位置（２６８）を結ぶ曲線を先端線（ＬＢ）としていることを特徴とする請求項２記載の後足部傾斜領域付インソール。
【発明の詳細な説明】
【技術分野】
【０００１】
この発明は、足部の骨格を整えると共に、膝関節に負荷がかからない後足部傾斜領域付インソールに関する。
【背景技術】
【０００２】
扁平足は、舟状骨が落ち込んで内側縦アーチが低く、またはなくなってしまい、踵骨は外反し、足全体が内倒れになる。
【０００３】
また、内側アーチに体重負荷が増加し、第１ＭＰ関節に負担が集中する。同時に横アーチも崩れてくる。
【０００４】
また、楔舟関節やリスフラン関節（第１中足骨）が内反し開張足になるが靴を履いているため第１ＭＰ関節は靴に押され外反する。このため、母趾屈筋群の付着部位と腱の走行の関係によって母趾が内旋する。これを外反母趾といい、外反扁平足との合併率が高くなる。
【０００５】
一方、Ｏ脚は両膝関節が内反した状態である。このため、膝関節内側に過大な負荷がかかることによって変形性膝関節症（膝痛）などに進行する可能性がある。
【０００６】
さらに、Ｏ脚になると、歩く度に足裏の外側に体重が掛かって横揺れが生じる。特に高齢になると、転倒の原因にもなると言われている。
【０００７】
上記の足の扁平足、Ｏ脚を防止するものとして例えば、特許文献１の履物用中敷がある。
【０００８】
特許文献１の履物用中敷は、扁平足を解消するために、内側縦アーチの頂点を構成する舟状骨を中心として第１中足骨頭付近から踵骨の載距突起の後方付近の下に、これを支える膨隆部を形成することによってこれを矯正または予防している。また、他の部分の骨格の崩れを防止するために外側縦アーチを整える凸形状を施している。
【０００９】
また、特許文献１の履物用中敷は、Ｏ脚を解消するために、中足部から後足部を外反させて矯正するために、踵骨の外周部を上方へ高くした外周縁部を形成している。例えば、踵骨内側に外側が３〜６ｍｍ程度の高い傾斜をつけている。これによって、膝関節を外反方向に誘導することができる。
【先行技術文献】
【特許文献】
【００１０】
【特許文献１】特許第４１６３２３７号公報
【発明の概要】
【発明が解決しようとする課題】
【００１１】
しかしながら、老化が進むと、足の衰えがさらに進み、さらにＯ脚から膝痛になる傾向にあり、特許文献１の履物用中敷では対応できないという課題があった。
【００１２】
また、外反母趾、扁平足になると、膝痛と合併症になる傾向にある。
【００１３】
本発明は上記課題を鑑みてなされたものであり、Ｏ脚が進んでも膝痛を防止して、外反母趾、扁平足に対応するインソールを得ることを目的とする。
【課題を解決するための手段】
【００１４】
本発明の後足部傾斜領域付インソールは、足の裏面に接触する面に、足の骨格の３アーチ（８８）である横アーチ（８１）、内側縦アーチ（８３）、外側縦アーチ（８６）を整える隆起したインソール土踏まず対応領域（２５０）が施され、後足部対応領域（２３０）から中足部対応領域（２２０）に渡ってコーナカップ部（２４０）が形成された後足部傾斜領域付インソールであって、
裏側において、前記中足部対応領域（２２０）の後端付近の足の内側の位置（２２１）から前記後足部対応領域（２３０）の後端の足の内側よりの位置（２３１）までを結ぶ直線（Ｌａ）に対向する前記後足部対応領域（２３０）の足の外側までの範囲に傾斜領域（２９０）が施され、
前記傾斜領域（２９０）は、
前記直線（Ｌａ）から足の外側に向かって次第に厚みが増加され、足の外側となる面の高さは、この足の外側の面に対向する足の内側の面に対して３割程度高くされていることを要旨とする。
【発明の効果】
【００１５】
以上のように、本発明によれば、後足部対応領域２３０の足の外側のコーナカップ部（２４０）に向かって次第に高くなる傾斜領域（２９０）を施しているので、この傾斜領域（２９０）によって足の軸が内側に傾くことなる。このため、Ｏ脚であっても脚がまっすぐになるから膝関節に負担がかからないし、かつ外反母趾、扁平足の予防に繋がる。
【００１６】
また、筋力が低下した例えば老人が靴にいれて歩いた場合は、脚がまっすぐに延びた状態で歩行できることになるので転倒を防止できる。
【図面の簡単な説明】
【００１７】
【図１】本実施の形態のインソールの斜視図である。
【図２】本実施の形態の後足部傾斜領域付インソール２００の平面−側面図である。
【図３】後足部傾斜領域付インソール２００の裏面図である。
【図４】図２における本実施の形態の後足部傾斜領域付インソール２００を爪先側から見た場合の正面図（Ｉ矢印）である。
【図５】本実施の形態の後足部傾斜領域付インソール２００を後側から見た場合の後面図（II矢印）である。
【図６】図２の後足部傾斜領域付インソール２００の断面図である。
【図７】本実施の形態の後足部傾斜領域付インソール２００に足を置いた場合の踵側後方から見たときの説明図である。
【図８】本実施の形態の後足部傾斜領域付インソール２００の効果の説明図である。
【図９】他の実施の形態の後足部傾斜領域付インソール２００の平面−側面図である。
【発明を実施するための形態】
【００１８】
図１は本実施の形態のインソールの斜視図である。図１には足の骨格をインソールに対応させて示している。図１（ａ）は足の骨格を示し、図１（ｂ）には本実施の形態のインソールを示している。
【００１９】
本実施のインソールの前に足の名称について図１（ａ）を用いて説明する。
【００２０】
足は図１（ａ）に示すように、前足部２０と、中足部２２と、後足部２３とから構成されている。
【００２１】
なお、実施の形態では、足の骨格は解剖学的な名称を用いないで、義肢装具等の製造業界で使用している名称で説明する。
【００２２】
前足部２０は、図１に示すように、第１末節骨２７と、第２末節骨２８と、第３末節骨２９と、第４末節骨３０と、第５末節骨３１と、第２中節骨３５と、第３中節骨３６と、第４中節骨３７と、第５中節骨３８と、第１基節骨４１と、第２基節骨４２と、第３基節骨４３と、第４基節骨４４と、第５基節骨４５とからなる範囲をいう。
【００２３】
中足部２２は、第１中足骨５１と、第２中足骨５２と、第３中足骨５３と、第４中足骨５４と、第５中足骨５５と、第１楔状骨６１と、第２楔状骨６２と、第３楔状骨６３と、立方骨７１と舟状骨７３とからなる範囲をいう。この中足部２２の足の表面側が足の甲部２５である。
【００２４】
なお、前述の前足部２０と中足部２２との接続分を踏付部２６と称する。踏付部２６は、図１に示すように、第１基節骨４１、第２基節骨４２、第３基節骨４３、第４基節骨４４、第５基節骨４５の各々の骨底付近と、第１中足骨５１、第２中足骨５２、第３中足骨５３、第４中足骨５４、第５中足骨５５の各々の骨頭付近とからなる範囲である。
【００２５】
後足部２３は、図１に示すように、距骨７５と踵骨７７とからなる範囲である。
【００２６】
そして、足というのは図１に示す横アーチ８１と内側縦アーチ８３と外側縦アーチ８６とからなる足の３アーチ８８をしっかりと保つことが重要である。
【００２７】
横アーチ８１は、第１中足骨５１、第２中足骨５２、第３中足骨５３、第４中足骨５４、第５中足骨５５を結ぶ盛り上がりラインである。
【００２８】
内側縦アーチ８３は、第１中足骨５１、第１楔状骨６１、舟状骨７３、距骨７５、踵骨７７を結ぶ盛り上がりラインである。
【００２９】
外側縦アーチ８６は、第５中足骨５５、立方骨７１、踵骨７７を結ぶ盛り上がりラインである。
【００３０】
図１（ｂ）を用いて本実施の形態の後足部傾斜領域付インソール２００を説明する。また、以下に示す本実施の形態は、本発明の技術的思想を具体化するための一例であり、本発明の技術的思想は、構造、配置は下記のものに特定するものではない。
【００３１】
本発明の技術的思想は、特許請求の範囲に記載された技術的範囲内において、種々の変更を加えることができる。図面は模式的なものであることに留意すべきである。
【００３２】
図１（ｂ）に示すように、本実施の形態の後足部傾斜領域付インソール２００は、前足部２０に対応する領域を含む先端２０１ａまでの範囲を前側対応領域２１０と称する。また、中足部２２に対応する領域を中足部対応領域２２０と称する。さらに後足部２３に対応する領域を後足部対応領域２３０と称する。この後足部対応領域２３０の後端を後足部後端２０１ｂと称する。
【００３３】
また、図１（ｂ）に示すように、本実施の形態の後足部傾斜領域付インソール２００は、後足部対応領域２３０の周囲にはコーナカップ部２４０を形成して後足部２３の周囲を包込むようにされている。また、後述する土踏まず部に対応する領域をインソール土踏まず対応領域２５０と称する。このインソール土踏まず対応領域２５０は３アーチ８８を維持するための隆起が施されている。
【００３４】
そして、この後足部傾斜領域付インソール２００は図１（ｂ）に示すように、下側インソール２６０に上にウレタン製のインソール本体２７０を重ね、このインソール本体２７０に表生地２８０を重ねた多層構造にされている。
【００３５】
前述の下側インソール２６０はウレタン製であり、裏側には後足部対応領域２３０における足の外側に傾斜領域２９０が成形されている。
【００３６】
下側インソール２６０の裏側の傾斜領域２９０は、中足部対応領域２２０の後端である足の内側面の位置２２１から後足部対応領域２３０の後端である足の内側よりの位置２３１までを結ぶ直線Ｌａに対して対向する後足部対応領域２３０のコーナカップ部２４０の足の外側面までの範囲に傾斜領域２９０が施されている。この傾斜領域２９０は、裏側から見ると略三角形状にされている。
【００３７】
図２は本実施の形態の後足部傾斜領域付インソール２００の平面−側面図である。図２においては２３ｃｍタイプのインソールを示している。
【００３８】
図２（ａ）は後足部傾斜領域付インソール２００の平面図を示す。この平面図においては裏側に設けられた傾斜領域２９０を点ハッチで示している。図２（ｂ）は後足部傾斜領域付インソール２００の足の外側から見た場合の側面図を示す。図２（ｃ）には後足部傾斜領域付インソール２００の足の内側から見た場合の側面図を示す。
【００３９】
また、後足部傾斜領域付インソール２００の足の外側から見た場合の下側インソール２６０の側面を下側インソール外側面と称し、後足部傾斜領域付インソール２００の足の内側から見た場合の下側インソール２６０の側面を下側インソール内側面と称する。
【００４０】
図２に示す本実施の形態の後足部傾斜領域付インソール２００は、図２（ｂ）に示すように下側インソール外側面の後足部後端２０１ｂから先端２０１ａに向かう直線Ｌｆ上の約２５ｍｍ（２４ｍｍ〜２６ｍｍ：好ましくは２５ｍｍ）の位置Ｍｉに対して垂直に交わる直線Ｌｇがコーナカップ部２４０側の下側インソール外側面と交わる交点２６０ｂの高さは、この交点２６０ｂに対向する下側インソール外側面の底面から約１９ｍｍ（１８ｍｍ〜２０ｍｍ：好ましくは１９ｍｍ）にされている。
【００４１】
また、図２（ｃ）に示すように、直線Ｌｇがコーナカップ部２４０側の下側インソール内側面と交わる交点２６０ｃの高さは、この交点２６０ｃに対向する下側インソール外側面の底面から約１４ｍｍ（１３ｍｍ〜１５ｍｍ：好ましくは１４ｍｍ）にされている。
【００４２】
そして、２３ｃｍタイプの場合は、図２（ａ）に示すように、傾斜領域２９０の足の内側面の位置２２１は、後足部後端２０１ｂから約７４ｍｍ（７３ｍｍ〜７５ｍｍ：好ましくは７４ｍｍ）に位置している。
【００４３】
また、図２（ａ）に示すように、後足部対応領域２３０の後端における足の内側よりの位置２３１は、傾斜領域２９０における足の内側面の位置２２１を基準にすると、足の内側に約５０ｍｍ（４９ｍｍ〜５１ｍｍ：好ましくは５０ｍｍ）位置にある。
【００４４】
さらに、図２（ｂ）に示すように、傾斜領域２９０は下側インソール内側面から見た場合は最大で約５ｍｍ（４ｍｍ〜６ｍｍ：好ましくは５ｍｍ）下に出ている。
【００４５】
つまり、後足部対応領域２３０は、足の外側面がこの外側面に対向する足の内側面に対して２５％〜３５％高くされている（好ましくは３０％）。
【００４６】
図３は後足部傾斜領域付インソール２００の裏面図である。図３においては足裏の骨格を示して説明する。
【００４７】
図３に示すように下側インソール２６０の先端線ＬＢは、第１中足骨５１の中央付近に対抗する足の内側となる位置２６１から第１中足骨骨低５１ｂよりを通り、第２中足骨５２及び第３中足骨５３の中央付近を通って、第４中足骨骨底５４ｂよりを通って、第５中足骨骨底５５ｂの足内側となる側を通って、立方骨７１の隅を通って、第５中足骨骨底５５ｂに対向する足の外側の位置２６８を結ぶ先端線ＬＢとなっている。このため、歩行に伴って第５中足骨５５が痛くなることがない。
【００４８】
また、図３に示すように、傾斜領域２９０の足の外側の位置２２１は、踵骨７７の骨頭７７ａ付近に対向する足の外側に位置している。また、後足部対応領域２３０の後端の足の内側よりの位置２３１は、踵骨７７の足の内側となる隅７７ｂ付近に位置している。
【００４９】
図４は図２における本実施の形態の後足部傾斜領域付インソール２００を爪先側から見た場合の正面図（Ｉ矢印）である。図５は本実施の形態の後足部傾斜領域付インソール２００を後側から見た場合の後面図（II矢印）である。
【００５０】
図４に示すように、本実施の形態の後足部傾斜領域付インソール２００を爪先側から見た場合は、後足部対応領域２３０に設けられた傾斜領域２９０が見える。そして、この傾斜領域２９０は足の外側が厚みを有して足の内側に向かって直線的に薄くなっている。
【００５１】
また、図５に示すように、本実施の形態の後足部傾斜領域付インソール２００を後側から見た場合は、傾斜領域２９０は足の外側の方が高く、内側に向かって薄くなっている。
【００５２】
具体的には傾斜領域２９０は足の外側の端が１９ｍｍ程度の高さで、内側の端が１４ｍｍ程度の高さになっている。
【００５３】
図６は図２の後足部傾斜領域付インソール２００の断面図である。図６（ａ）はＡ−Ａ断面を示し、図６（ｂ）はＢ−Ｂ断面を示し、図６（ｃ）はＣ−Ｃ断面を示す。
【００５４】
図６（ｃ）に示すように、Ｃ−Ｃ断面においては、下側インソール２６０と、インソール本体２７０と、表生地２８０となる３層構造にされている。そして、下側インソール２６０に形成された傾斜領域２９０は足の外側が１８ｍｍ程度の高さにされ、内側に向かって次第に薄くなっている。つまり、後足部２３が載る部分は外側が高く内側に向かって薄くなる傾斜を有していることになる。
【００５５】
また、図６（ｂ）に示すように、Ｂ−Ｂ断面においては、下側インソール２６０と、インソール本体２７０と、表生地２８０となる３層構造にされているが下側インソール２６０に形成された傾斜領域２９０は足の外側が１０ｍｍ程度の高さにされている。つまり、Ｃ−Ｃ断面よりも足の外側の高さは薄くなっている。
【００５６】
また、足の内側が１５ｍｍ程度の高さにされている。これは、インソール土踏まず対応領域２５０に施されている３アーチ８８を維持するための隆起による。
【００５７】
また、図６（ａ）に示すように、Ａ−Ａ断面においては、下側インソール２６０はなくなり、インソール本体２７０と表生地２８０となる２層構造にされている。
【００５８】
図７は本実施の形態の後足部傾斜領域付インソール２００を床において足を置いた場合の踵側後方から見たときの説明図である。
【００５９】
図７に示すように、本実施の形態の後足部傾斜領域付インソール２００は、後足部対応領域２３０には足の外側を高くした傾斜領域２９０を設けているので、傾斜領域２９０を設けない場合には足を一般的なインソールに置くと中心軸ｈｉに対して足が内側にわずかな角度θで傾斜する（点線で示している）。しかし、足が傾くと、まっすぐに立とうとするために実際は実線のようになる。
【００６０】
このため、図８（ａ）に示すように、筋力が低下してＯ脚になっていても、図８（ｂ）に示すように、脚が正常にまっすぐになる。従って、膝痛を防止できると共に、転倒を防止でき、かつ外反母趾、扁平足の予防に繋がる。
【００６１】
また、上記説明では２３ｃｍを一例にして説明したが、大きさによって傾斜領域２９０の範囲は異なる。
【００６２】
例えば、図９に示す２５ｃｍタイプにおいては、図９（ｂ）に示すように下側インソール外側面の後足部後端２０１ｂから先端２０１ａに向かう直線Ｌｆ上の約２７ｍｍ（２６ｍｍ〜２８ｍｍ：好ましくは２７ｍｍ）の位置Ｍｉに対して垂直に交わる直線Ｌｇがコーナカップ部２４０側の下側インソール外側面と交わる交点２６０ｂの高さは、この交点２６０ｂに対向する下側インソール外側面の底面から約２０ｍｍ（１９ｍｍ〜２１ｍｍ：好ましくは２０ｍｍ）にされている。
【００６３】
また、図９（ｃ）に示すように、直線Ｌｇがコーナカップ部２４０側の下側インソール内側面と交わる交点２６０ｃの高さは、この交点２６０ｃに対向する下側インソール外側面の底面から約１５ｍｍ（１４ｍｍ〜１６ｍｍ：好ましくは１５ｍｍ）にされている。
【００６４】
そして、２５ｃｍタイプの場合は、図９（ａ）に示すように、傾斜領域２９０の足の内側面の位置２２１は、後足部後端２０１ｂから約７７ｍｍ（７６ｍｍ〜７８ｍｍ：好ましくは７７ｍｍ）に位置している。
【００６５】
また、図９（ａ）に示すように、後足部対応領域２３０の後端における足の内側よりの位置２３１は、傾斜領域２９０における足の内側面の位置２２１を基準にすると、足の内側に約５５ｍｍ（５４ｍｍ〜５５ｍｍ：好ましくは５４ｍｍ）位置にある。
【００６６】
さらに、図９（ｂ）に示すように、傾斜領域２９０は下側インソール内側面から見た場合は最大で約５．５ｍｍ（４ｍｍ〜６ｍｍ：好ましくは５．５ｍｍ）下に出ている。
【００６７】
つまり、後足部対応領域２３０は、足の外側面がこの外側面に対向する足の内側面に対して２５％〜３５％高くされている（好ましくは３０％）。
【００６８】
また、図９においては図示しないが、傾斜領域２９０の足の内側の位置２２１は、踵骨７７の骨頭７７ａ付近に対向する足の外側に位置し、後足部対応領域２３０の後端の足の内側よりの位置２３１は、踵骨７７の後底７７ｂの足の内側隅に位置している。
【００６９】
なお、表面の表生地２８０は、高齢者用は起毛素材（スエード）が好ましいが、スエード調の天然皮革、人工皮革、合成皮革であってもかまわない。
【符号の説明】
【００７０】
２０  前足部
２２  中足部
２３  後足部
２１０  前側対応領域
２２０  領域を中足部対応領域
２３０  後足部対応領域
２４０  コーナカップ部
２６０  下側インソール
２９０  傾斜領域
【図１】
2015208398.tif 000003
【図２】
2015208398.tif 000004
【図３】
2015208398.tif 000005
【図４】
2015208398.tif 000006
【図５】
2015208398.tif 000007
【図６】
2015208398.tif 000008
【図７】
2015208398.tif 000009
【図８】
2015208398.tif 000010
【図９】
2015208398.tif 000011